(57)【特許請求の範囲】
【請求項１】
中心に穿孔用針を取付けた操作キャップと、その操作キャップが昇降可能に設けられ、底面に形成した孔から上記穿孔用針を突出させることができる容器本体と、上記操作キャップと上記容器本体との間に介装される巻きバネとを有するガス抜き用穿孔具において、上記操作キャップ１の内周面に、略水平な面と、斜め下に向く傾斜面とからなる雌ネジ９を数山形成され、その雌ネジ９と螺合する雄ネジ１０が、上記操作キャップ１と対向させて容器本体３の内側に立設され且つ複数の縦割溝１１によって分割された円筒部１２部分の幾つかの外周面に一山だけ形成されていることを特徴とするガス抜き用穿孔用器具。
【請求項２】
上記操作キャップ１の外周面に突片１３を設け、上記容器本体３の内面に該突片１３の係止手段１４を設け、その突片１３の係止手段１４に対する係脱は上記操作キャップ１の回動によってなされることを特徴とする請求項１のガス抜き用穿孔具。
【請求項３】
上記容器本体３に、上記突片１３の係脱状態を目視できる透孔１５を穿設されていることを特徴とする請求項２のガス抜き用穿孔具。
【請求項４】
上記容器本体３の底面は長手方向に凹状をなし、その凹状底面に該凹状底面と略面一の永久磁石１６，１６を装着されていることを特徴とする請求項１のガス抜き用穿孔具。
【発明の詳細な説明】
【０００１】
【発明の属する技術分野】
本発明は、エアゾール缶の胴部に穴をあけて、内部のガス圧を大気圧と等しからしめるためのガス抜き用穿孔具に関する。
【０００２】
【従来の技術】
液化ガスや圧縮ガス等の噴射剤と有効成分の混合物，溶液あるいはエマルジョンなどを弁の付いた気密な缶に詰めたエアゾール製品は、化粧品類、殺虫剤類、医薬品類等の分野で広く使用されている。かかるエアゾール缶を廃棄するには、缶胴部に穴をあけて、内圧を大気圧と等しからしめることが要求されており、このため人の力で缶胴部に穴をあける簡便な道具が市販されている。
【０００３】
【発明が解決しようとする課題】
上記した従来の道具で、缶胴部に穿孔用針を突き刺すこと自体は特別問題ないが、穿孔用針を不用意に突出させたりするおそれがあったり、高圧ガスが残留しているのに気付かないまま突き刺した穿孔用針を一気に引き抜いたため、その穿孔から残留高圧ガスが急に噴出して押さえていた道具等を吹き飛ばしたり、カラースプレー缶の場合には塗料が噴射するといった不測の事故を起し兼ねなかった事実に鑑み、本発明ではこれを回避できるガス抜き用穿孔具を提供しようとするものである。
【０００４】
【課題を解決するための手段】
このため、請求項１の発明は、中心に穿孔用針を取付けた操作キャップと、その操作キャップが昇降可能に設けられ、底面に形成した孔から上記穿孔用針を突出させることができる容器本体と、上記操作キャップと上記容器本体との間に介装される巻きバネとを有するガス抜き用穿孔具において、上記操作キャップの内周面に、略水平な面と、斜め下に向く傾斜面とからなる雌ネジを数山形成され、その雌ネジと螺合する雄ネジが、上記操作キャップと対向させて容器本体の内側に立設され且つ複数の縦割溝によって分割された円筒部部分の幾つかの外周面に一山だけ形成させたものである。
【０００５】
請求項２の発明は、請求項１の発明において、上記操作キャップの外周面に突片を設け、上記容器本体の内面に該突片の係止手段を設け、その突片の係止手段に対する係脱は上記操作キャップの回動によってなすようにしたものである。
【０００６】
請求項３の発明は、請求項２の発明において、上記容器本体に、上記突片の係脱状態を目視できる透孔を穿設したものである。
【０００７】
請求項４の発明は、請求項１の発明において、上記容器本体の底面は長手方向に凹状をなし、その凹状底面に該凹状底面と略面一の永久磁石を装着したものである。
【０００８】
【発明の実施の形態】
図１は、この発明の一実施態様であるガス抜き用穿孔具の縦断面図である。中心に穿孔用針２を固着した操作キャップ１と、その操作キャップ１を昇降可能とする貫通孔４を設け、底面に上記穿孔用針２の出入孔５を形成した容器本体３と、上記操作キャップ１と容器本体３との間に介装した蔓巻バネ６を有する。この容器本体３は、上部パーツ３ａと下部パーツ３ｂを重ね合わせて数本のネジ７，７で結合したものである。操作キャップ１の下端部には鍔状張出部８が形成されていて、蔓巻バネ６によって操作キャップ１が押し上げられたとき、鍔状張出部８が容器本体３の開口４の下部周面に当接して操作キャップ１を抜け出なくする。この状態で穿孔用針２は容器本体３内に完全に収納されている。操作キャップ１を蔓巻バネ６に抗して押し下げると、穿孔用針２は出入孔５から突出する（図２参照）。
【０００９】
図１で注目される点の一つは、操作キャップ１の内周面に、略水平な面と、斜め下に向く傾斜面とで構成された三角ネジの雌ネジ９が数山螺旋状に形成され、容器本体３の下部パーツ３ｂには、上記した操作キャップ１と対向して複数（例えば８本）の縦割溝１１を設けた円筒部１２が形成され、二つの縦割溝１１，１１間の円筒部１２部分の幾つかの（例えば四つの）外周面に、上記雌ネジ９と螺合することができる雄ネジ１０が一山だけ形成されている点である。
【００１０】
注目されるもう一つの点は、図３（Ａ）に示したように、操作キャップ１の上記した鍔状張出部８に突片１３が形成され、また、上部パーツ３ａの背面には、図３（Ｂ）に示したように、垂直部分１４ａと水平部分１４ｂとからなるＬ字状の係止手段１４が突設されるとともに、そのＬ字状の係止手段１４の水平部分１４ｂと対向する小さな透孔１５が形成されている点である。本例では上記した貫通孔４に繋げて透孔１５が形成されているが、必ずしもこれに限定させるものではなく、図示していないが、独立して穿設した透孔１５であってもよい。
【００１１】
注目される更にもう一つの点は、図１と図２および本ガス抜き用穿孔具を裏返えしにして示した斜視図である図５から明らかなように、上記容器本体３は、使用されるエアゾール缶１７の外周面に適合させた凹状底面を有し、その凹状底面と略面一に永久磁石１６，１６を装着している点である。
【００１２】
このガス抜き用穿孔具を使用しないときは、図３（Ｂ）の如く、上記突片１３の一方の側端面がＬ字状の係止手段１４の垂直部分１４ａに当接するところまで操作キャップ１を回わし、突片１３を上部パーツ１ａの背面とＬ字状の係止手段１４の水平部分１４ｂとで形成された箇所に嵌挿させることで、操作キャップ１に押下力が加わっても降下不能としておく。突片１３が係止手段１４に係止されているかどうかは、小さな透孔１５を通して目で確認することができる。
【００１３】
このガス抜き用穿孔具の使用時には、透孔１５から係止手段１４が見える状態になるまで前記操作キャップ１を逆に回わし、操作キャップ１を押し下げ可能とする。ついで、図２の如く一点鎖線のエアゾール缶１７を永久磁石１６，１６によって吸着保持し、上からしっかりと押さえ付けて、操作キャップ１を真っ直ぐ押し下げる。そうすると、操作キャップ１の内周面に形成された雌ネジ９の一番下のネジ山のうち、斜め下に向く傾斜面が、その雌ネジ９と螺合する雄ネジ１０のネジ山のうちの斜め下に向く傾斜面を押し、その雄ネジ１０が形成されている円筒部１２部分を内側に逃がしてネジの螺合が外され、操作キャップ１はネジの一ピッチ分だけ押し下げられ、続いて円筒部１２部分は弾性復元力で最初の形状に戻り再び雌ネジ９の下から二番目のネジ山が雄ネジ１０と螺合することになるが、継続して操作キャップ１に押下力が加えられることで、前記した動作が繰り返され、こうして操作キャップ１の下部端面が容器本体３の端面に当接することで、穿孔用針２は最大に突き出た状態になる。このように穿孔用針２を突出させる動作は殆ど一気にすることが可能である。
【００１４】
缶胴部に突き差した穿孔用針２を引き抜く段階では、上記ネジ山のうちの水平な面の螺合によって上に引き上げようとしてもできないものであり、結局、操作キャップ１を回わし、ネジのピッチに従って順次移動させ、穿孔用針２を引き抜かざるを得ないから、穿孔用針２の引抜きは序々にしかできないものである。
【００１５】
【発明の効果】
以上、説明したように、請求項１の発明によれば、穿孔用針を缶胴部に突き刺すのは迅速にできても、穿孔用針の引き抜きはゆっくりでないとできないようにしたから、残留高圧ガスが缶内にあったとしても、穿孔用針の引き抜き時に一気に噴出して事故を起すおそれをなくすことができる。
【００１６】
請求項２の発明では、上記操作キャップ１の簡便なロックおよびロック解除の構造が得られることになるし、請求項３の発明では、ロック状態かロック解除状態かの確認が透孔を通して目視により簡単にでき便利である。
【００１７】
更に請求項４の発明では、エアゾール缶を容器本体の凹状底面でエアゾール缶を安定して押さえつけるだけでなく、永久磁石で吸着保持するから、エアゾール缶と容器本体との結合を強力なものとすることができる。また、アルミ缶を選別できるといった副次的な効果もある。
【図面の簡単な説明】
【図１】  この発明の一実施態様である穿孔用器具の縦断面図、
【図２】  図１の穿孔用器具を使用し穿孔している状態を示した縦断面図、
【図３】  （Ａ）は図１の平面図、（Ｂ）はイ−イ線に沿う断面図である。
【図４】  図１の穿孔用器具を表側から見た斜視図、
【図５】  図１の穿孔用器具を背面側から見た斜視図である。
【符号の説明】
１    操作キャップ
２    穿孔用針
３    容器本体
５    穿孔用針の出入孔
６    蔓巻バネ
９    雌ネジ
１０  雄ネジ
１１  縦割溝
１２  円筒部
１３  突片
１４  係止手段
１５  透孔
１６  永久磁石
１７  エアゾール缶
【図１】
0003978877.tif 000002
【図２】
0003978877.tif 000003
【図３】
0003978877.tif 000004
【図４】
0003978877.tif 000005
【図５】
0003978877.tif 000006